(57)【要約】【課題】ネットワークのＦＡ領域の情報を定義して、ネットワーク内でこれを効果的に交換及び伝送することによって、ネットワークを効果的に管理する。【解決手段】本発明による管理装置は、フローの束（flow aggregate, FA）単位で制御されるネットワークの管理装置であって、上位ノードから前記ＦＡの制御情報を受信するパラメーター情報受信部と、前記制御情報に応じてＦＡパラメーターを生成するパラメーター生成部と、前記パラメーター生成部で生成されたＦＡパラメーターを他のノードに伝送するパラメーター伝送部とを含む。【選択図】図１
2011030178.tif 000002
【特許請求の範囲】
【請求項１】
フローの束（FA）単位で制御されるネットワークの管理装置であって、
上位ノードから前記ＦＡの制御情報を受信するパラメーター情報受信部と、
前記制御情報に応じてＦＡパラメーターを生成するパラメーター生成部と、
前記パラメーター生成部で生成された前記ＦＡパラメーターを他のノードに伝送するパラメーター伝送部と
を含むことを特徴とするネットワーク管理装置。
【請求項２】
前記ＦＡパラメーターは、
フローの識別子をＦＡの識別子にマッピングする規則、そして
前記ＦＡに帯域幅を割り当てるための帯域幅設定またはスケジューリング方法
を含むことを特徴とする請求項１に記載のネットワーク管理装置。
【請求項３】
前記マッピングする規則及び前記帯域幅設定またはスケジューリング方法は、複数のＦＡに同一に適用されることを特徴とする請求項２に記載のネットワーク管理装置。
【請求項４】
前記ＦＡパラメーターは、
一つの前記ＦＡに含まれる前記フローの数、
パケットの最大の大きさ及びリンク容量の比率、
前記ＦＡが通過する領域のホップ数、そして
前記ＦＡが通過する領域の最大個数
を含むことを特徴とする請求項１に記載のネットワーク管理装置。
【請求項５】
前記ＦＡパラメーターは、
前記ＦＡ内の複数のフローの維持可能な伝送率の合計の最大値と前記リンク容量との比率、
前記ＦＡ内の前記複数のフローの維持可能なバーストサイズの合計の最大値と前記リンク容量との比率、そして
最低限要求されるサービス比率と前記維持可能な伝送率の合計との比率、またはスケジューリング優先順位
をさらに含むことを特徴とする請求項４に記載のネットワーク管理装置。
【請求項６】
前記ＦＡパラメーターは、
前記ＦＡのパケット廃棄優先順位、そして
前記ＦＡの等級
をさらに含むことを特徴とする請求項５に記載のネットワーク管理装置。
【請求項７】
フローの束（FA）単位で制御されるネットワークの管理システムであって、
前記ＦＡの制御情報を表示するＦＡパラメーターを生成して管理する複数のＦＡ情報管理部と、
前記ＦＡ情報管理部から前記ＦＡパラメーターを受信して保存する複数のＦＡ情報交換部と、
前記ＦＡ情報交換部から前記ＦＡパラメーターを受信して前記ネットワーク情報として総合するＦＡ情報収集部と
を含むことを特徴とするネットワーク管理システム。
【請求項８】
前記複数のＦＡ情報交換部は、互いに前記ＦＡパラメーターを交換することを特徴とする請求項７に記載のネットワーク管理システム。
【請求項９】
前記ＦＡ情報管理部は、前記ＦＡの領域の境界ノードに位置することを特徴とする請求項７に記載のネットワーク管理システム。
【請求項１０】
前記ＦＡパラメーターは、
フローの識別子をＦＡの識別子にマッピングする規則、
前記ＦＡに帯域幅を割り当てるための帯域幅設定またはスケジューリング方法、
一つの前記ＦＡに含まれる前記フローの数、
パケットの最大の大きさ及びリンク容量の比率、
前記ＦＡが通過する領域のホップ数、
前記ＦＡが通過する領域の最大個数、
前記ＦＡ内の複数のフローの維持可能な伝送率の合計の最大値と前記リンク容量との比率、
前記ＦＡ内の前記複数のフローの維持可能なバーストサイズの合計の最大値と前記リンク容量との比率、
最低限要求されるサービス比率と前記維持可能な伝送率の合計との比率、またはスケジューリング優先順位、
前記ＦＡのパケット廃棄優先順位、そして
前記ＦＡの等級
を含むことを特徴とする請求項７に記載のネットワーク管理システム。
【請求項１１】
前記マッピングする規則及び前記帯域幅設定またはスケジューリング方法は、複数のＦＡに同一に適用されることを特徴とする請求項１０に記載のネットワーク管理システム。
【請求項１２】
フローの束（FA）単位で制御されるネットワークで前記ＦＡの領域を管理するＦＡ情報交換部の管理方法であって、
前記ネットワークを管理するＦＡ情報収集部から前記ＦＡの制御情報を示すＦＡパラメーターの要請を受ける段階と、
前記ＦＡ領域に属しているＦＡ情報管理部に前記ＦＡパラメーターを要請する段階と、
前記ＦＡ情報管理部から前記ＦＡパラメーターを受信する段階と、
前記ＦＡパラメーターを前記ＦＡ情報収集部に伝送する段階と
を含むことを特徴とするネットワーク管理方法。
【請求項１３】
前記ＦＡパラメーターは、前記ＦＡ情報管理部によって生成されることを特徴とする請求項１２に記載のネットワークの管理方法。
【請求項１４】
前記要請を受ける段階は、要請者の識別子を受信する段階を含み、
前記要請する段階は、前記要請者の識別子を伝送する段階を含むことを特徴とする請求項１２に記載のネットワーク管理方法。
【請求項１５】
前記要請を受ける段階は、前記ＦＡの識別子を受信する段階をさらに含み、
前記要請する段階は、前記ＦＡの識別子を伝送する段階をさらに含むことを特徴とする請求項１４に記載のネットワーク管理方法。
【請求項１６】
前記受信する段階は、
応答者の識別子を受信する段階を含むことを特徴とする請求項１２に記載のネットワーク管理方法。
【請求項１７】
前記ＦＡ情報管理部から前記ＦＡパラメーターの報告を受ける段階と、
前記ＦＡ情報収集部に前記ＦＡパラメーターを報告する段階と
をさらに含むことを特徴とする請求項１２に記載のネットワーク管理方法。
【請求項１８】
フローの束（FA）単位で制御されるネットワークで前記ＦＡの領域を管理するＦＡ情報交換部の管理方法であって、
前記ＦＡ情報管理部からＦＡパラメーターの報告を受ける段階と、
前記ネットワークを管理するＦＡ情報収集部に前記ＦＡパラメーターを報告する段階と
を含むことを特徴とするネットワーク管理方法。
【請求項１９】
前記ＦＡパラメーターは、前記ＦＡ情報管理部によって生成されることを特徴とする請求項１８に記載のネットワーク管理方法。
【請求項２０】
前記報告する段階は、報告者の識別子を伝送する段階を含むことを特徴とする請求項１８に記載のネットワーク管理方法。
【発明の詳細な説明】
【技術分野】
【０００１】
本発明は、ネットワーク管理方法、管理装置、及び管理システムに関するものである。
【背景技術】
【０００２】
サービス品質（QoS）とは、使用者またはアプリケーション（application）に対して重要度に応じてサービスの水準を差別化することであって、サービス品質制御技術は、限定された帯域幅にてトラフィック及び帯域幅を管理することによって行われる。このようなサービス品質制御技術のうち、フロー別にトラフィック及び帯域幅を管理する技術は、制御の単位が細かいという長所があるが、ネットワーク容量が大きくなると、フローの数の増加によって制御負荷が増加する。それによって、大容量ネットワークへの適用が難しくなる。
【０００３】
大規模ネットワークでは、このような制御負荷の調節のために、フローの束（flow aggregate, FA）単位の制御技術が使用されている。このようなフローの束単位の制御技術は、複数のＦＡ領域（domain）を含む。各ＦＡ領域は、多重プロトコルラベルスイッチング（Multi-Protocol Label Switching, MPLS）及び差別化サービス（differentiated service, diffserv）などの制御技術を用いて、各ＦＡ領域の制御技術は互いに異なる。
【０００４】
ＦＡ領域の制御技術が互いに異なる場合、一つのセッションが通過するＦＡ領域の情報を総合して、サービス品質が保障できるか否かを予め判断する必要がある。
【０００５】
しかし、現在用いられているＦＡ領域の情報は、物理的な測定値のみから構成されており、具体的なネットワーク情報は含まれていない。
【先行技術文献】
【特許文献】
【０００６】
【特許文献１】米国特許第７２９２５７５号明細書
【発明の概要】
【発明が解決しようとする課題】
【０００７】
本発明が目的とする技術的課題は、ネットワークのＦＡ領域の情報を定義して、ネットワーク内でこれを効果的に交換及び伝送して、ネットワークを効果的に管理することである。
【課題を解決するための手段】
【０００８】
本発明の一実施例によるネットワーク管理装置は、フローの束（FA）単位で制御されるネットワークの管理装置であって、上位ノードから前記ＦＡの制御情報を受信するパラメーター情報受信部と、前記制御情報に応じてＦＡパラメーターを生成するパラメーター生成部と、前記パラメーター生成部で生成されたＦＡパラメーターを他のノードに伝送するパラメーター伝送部とを含む。
【０００９】
前記ＦＡパラメーターは、フローの識別子（identifier）をＦＡの識別子にマッピング（mapping）する規則、そして前記ＦＡに帯域幅を割り当てるための帯域幅設定またはスケジューリング方法を含むことができる。
【００１０】
前記マッピングする規則及び前記帯域幅設定またはスケジューリング方法は、複数のＦＡに同一に適用される。
【００１１】
前記ＦＡパラメーターは、一つの前記ＦＡに含まれる前記フローの数、パケットの最大の大きさ及びリンク容量の比率、前記ＦＡが通過する領域のホップ（hop）数、そして前記ＦＡが通過する領域の最大個数を含むことができる。
【００１２】
前記ＦＡパラメーターは、前記ＦＡ内の複数のフローの維持可能な伝送率（sustainable transfer rate）の合計の最大値と前記リンク容量との比率、前記ＦＡ内の前記複数のフローの維持可能なバーストサイズ（sustainable burst size）の合計の最大値と前記リンク容量との比率、そして最低限要求されるサービス比率と前記維持可能な伝送率の合計との比率、またはスケジューリング優先順位（scheduling priority）をさらに含むことができる。
【００１３】
前記ＦＡパラメーターは、前記ＦＡのパケット廃棄優先順位（discard priority）、そして前記ＦＡの等級（class）をさらに含むことができる。
【００１４】
本発明の他の実施例によるネットワーク管理システムは、フローの束単位で制御されるネットワークの管理システムであって、前記ＦＡの制御情報を表示するＦＡパラメーターを生成して管理する複数のＦＡ情報管理部と、前記ＦＡ情報管理部から前記ＦＡパラメーターを受信して保存する複数のＦＡ情報交換部と、前記ＦＡ情報交換部から前記ＦＡパラメーターを受信して前記ネットワーク情報として総合するＦＡ情報収集部とを含む。
【００１５】
前記複数のＦＡ情報交換部は、互いに前記ＦＡパラメーターを交換する。
【００１６】
前記ＦＡ情報管理部は、前記ＦＡの領域の境界ノードに位置する。
【００１７】
前記ＦＡパラメーターは、フローの識別子をＦＡの識別子にマッピングする規則、前記ＦＡに帯域幅を割り当てるための帯域幅設定またはスケジューリング方法、一つの前記ＦＡに含まれる前記フローの数、パケットの最大の大きさ及びリンク容量の比率、前記ＦＡが通過する領域のホップ数、前記ＦＡが通過する領域の最大個数、前記ＦＡ内の複数のフローの維持可能な伝送率の合計の最大値と前記リンク容量との比率、前記ＦＡ内の前記複数のフローの維持可能なバーストサイズの合計の最大値と前記リンク容量との比率、最低限要求されるサービス比率と前記維持可能な伝送率の合計との比率、またはスケジューリング優先順位、前記ＦＡのパケット廃棄優先順位、そして前記ＦＡの等級を含むことができる。
【００１８】
前記マッピングする規則及び前記帯域幅設定またはスケジューリング方法は、複数のＦＡに同一に適用される。
【００１９】
本発明の他の実施例によるネットワーク管理方法は、フローの束単位で制御されるネットワークで前記ＦＡの領域を管理するＦＡ情報交換部の管理方法であって、前記ネットワークを管理するＦＡ情報収集部から前記ＦＡの制御情報を示すＦＡパラメーターの要請を受ける段階と、前記ＦＡ領域に属しているＦＡ情報管理部に前記ＦＡパラメーターを要請する段階と、前記ＦＡ情報管理部から前記ＦＡパラメーターを受信する段階と、前記ＦＡパラメーターを前記ＦＡ情報収集部に伝送する段階とを含む。
【００２０】
前記ＦＡパラメーターは、前記ＦＡ情報管理部によって生成される。
【００２１】
前記要請を受ける段階は、要請者の識別子を受信する段階を含み、前記要請する段階は、前記要請者の識別子を伝送する段階を含むことができる。
【００２２】
前記要請を受ける段階は、前記ＦＡの識別子を受信する段階をさらに含み、前記要請する段階は、前記ＦＡの識別子を伝送する段階をさらに含むことができる。
【００２３】
前記受信する段階は、応答者の識別子を受信する段階を含むことができる。
【００２４】
前記ＦＡ情報管理部から前記ＦＡパラメーターの報告を受ける段階と、前記ＦＡ情報収集部に前記ＦＡパラメーターを報告する段階とをさらに含むことができる。
【００２５】
本発明の他の実施例によるネットワーク管理方法は、フローの束単位で制御されるネットワークで前記ＦＡの領域を管理するＦＡ情報交換部の管理方法であって、前記ＦＡ情報管理部からＦＡパラメーターの報告を受ける段階と、前記ネットワークを管理するＦＡ情報収集部に前記ＦＡパラメーターを報告する段階とを含む。
【００２６】
前記ＦＡパラメーターは、前記ＦＡ情報管理部によって生成される。
【００２７】
前記報告する段階は、報告者の識別子を伝送する段階を含むことができる。
【発明の効果】
【００２８】
本発明によれば、ネットワークのＦＡ領域の情報を具体的なパラメーターとして定義して用いることができ、ネットワーク内でこれを効率的に交換及び収集することによって、終端間サービスの支援可能なサービス品質を予測することができる。
【図面の簡単な説明】
【００２９】
【図１】本発明の一実施例によるネットワークの管理システムを示した図面である。
【図２】本発明の一実施例によるＦＡ情報管理部を概略的に示したブロック図である。
【図３】本発明の一実施例によるネットワーク管理方法を順に示したフローチャートである。
【図４】本発明の他の実施例によるネットワーク管理方法を示したフローチャートである。
【発明を実施するための形態】
【００３０】
以下、添付した図面を参照して、本発明が属する技術分野にて通常の知識を有する者が容易に実施できるように詳細に説明する。しかし、本発明は様々な相異した形態に具現することができ、ここで説明する実施例に限られない。そして、図面においては、本発明を明確に説明するために、説明上不要な部分は省略しており、明細書全体を通じて類似した部分については類似した図面符号を付けた。
【００３１】
明細書全体において、ある部分がある構成要素を“含む”とする場合、これは特に反対の記載がない限り、他の構成要素を除外するわけではなく、他の構成要素をさらに含むことを意味する。
【００３２】
本明細書で、端末（terminal）は、移動局（Mobile Station, MS）、移動端末（Mobile Terminal, MT）、加入者局（Subscriber Station, SS）、携帯加入者局（Portable Subscriber Station, PSS）、使用者装置（User Equipment, UE）、及び接近端末（Access Terminal, AT）などを指し、端末、移動端末、加入者局、携帯加入者局、使用者装置、及び接近端末などの全部または一部の機能を含むこともできる。
【００３３】
本明細書で、基地局（base station, BS）は、接近点（Access Point, AT）、無線接近局（Radio Access Station, RAS）、ノードＢ（Node B）、高度化ノードＢ（evolved Node B, eNode B）、送受信基地局（Base Transceiver Station, BTS）、及びＭＭＲ（Mobile Multihop Relay）−ＢＳなどを指し、接近点、無線接近局、ノードＢ、ｅＮｏｄｅＢ、送受信基地局、ＭＭＲ-ＢＳなどの全部または一部の機能を含むこともできる。
【００３４】
次に、図面を参照して、本発明の一実施例によるネットワーク管理方法、管理装置、及び管理システムについて詳細に説明する。
【００３５】
図１は、本発明の一実施例によるネットワークの管理システムを示した図面である。
【００３６】
図１を参照すれば、本発明の一実施例によるネットワークは、複数のフローの束情報管理部１００、複数のＦＡ情報交換部２００、ＦＡ情報収集部３００、及びネットワーク管理部４００を含む。
【００３７】
複数のＦＡ情報管理部１００は、ＦＡ領域１０に属しているＦＡ情報管理部１１０、１２０、ＦＡ領域２０に属しているＦＡ情報管理部１３０、１４０及びＦＡ領域３０に属しているＦＡ情報管理部１５０を含む。
【００３８】
各ＦＡ情報管理部１００は、各領域１０、２０、３０の境界ノードに位置して、各ＦＡ領域の情報を搭載するパラメーター（以下、‘ＦＡパラメーター’という）を生成して管理する。ＦＡ情報管理部１００は、実際にルーター（router）に含まれていてもよい。
【００３９】
複数のＦＡ情報交換部２００は、ＦＡ領域１０に属しているＦＡ情報交換部２１０、ＦＡ領域２０に属しているＦＡ情報交換部２２０、及びＦＡ領域３０に属しているＦＡ情報交換部２３０を含む。各ＦＡ領域１０、２０、３０には少なくとも一つのＦＡ情報交換部２００が存在し、各ＦＡ領域１０、２０、３０の大きさによってＦＡ情報交換部２００の数が増加する。
【００４０】
各ＦＡ情報交換部２００は、対応する領域１０、２０、３０に属するＦＡ情報管理部１００からＦＡパラメーターを受信し、ＦＡ領域の情報としてこれを総合して保存する。各ＦＡ情報交換部２００は、必要時には、保存しているＦＡパラメーターを互いに交換する。ＦＡ情報交換部２００は、実際に各ＦＡ領域１０、２０、３０を管理するサーバーであってもよい。
【００４１】
ＦＡ情報収集部３００は、各ＦＡ領域１０、２０、３０のＦＡ情報交換部２００からＦＡパラメーターを収集し、ネットワーク情報としてこれを総合する。
【００４２】
一方、ＦＡ情報収集部３００は、インターフェース（ａ）を通して各ＦＡ情報交換部２１０、２２０、２３０からＦＡパラメーターを収集する。互いに異なるＦＡ領域１０、２０、３０に属したＦＡ情報交換部２１０、２２０、２３０は、インターフェース（ｂ）を通してＦＡパラメーターを交換し、互いに同一なＦＡ領域３０に属したＦＡ情報交換部２３０、２４０は、インターフェース（ｃ）を通してＦＡパラメーターを交換する。ＦＡ情報交換部２００は、インターフェース（ａ）を通してＦＡ情報管理部１００からＦＡパラメーターを受信する。
【００４３】
ネットワーク管理部４００は、ＦＡ情報収集部３００を制御することによって、ネットワーク全体を管理するサーバーである。
【００４４】
次に、図２を参照して、本発明の一実施例によるＦＡ情報管理部について詳細に説明する。
【００４５】
図２は、本発明の一実施例によるＦＡ情報管理部を概略的に示したブロック図である。
【００４６】
図２を参照すれば、ＦＡ情報管理部１００は、パラメーター情報受信部１０１、パラメーター生成部１０２、及びパラメーター伝送部１０３を含む。
【００４７】
パラメーター情報受信部１０１は、ネットワーク管理部４００などからＦＡの制御情報を受信する。
【００４８】
パラメーター生成部１０２は、パラメーター情報受信部１０１が受信したＦＡ制御情報に基づいてＦＡパラメーターを生成する。パラメーター生成部１０２が生成したＦＡパラメーターは、次の表の通りである。
【００４９】
【表１】
2011030178.tif 000003
【００５０】
表１の１番パラメーターは、フロー及び適切なＦＡをマッピングする規則を示し、同一領域の全てのＦＡに同一に適用される。
【００５１】
２番パラメーターで、帯域幅設定は、ＦＡに帯域幅を割り当てるためであり、スケジューラーは、加重工程キューイング（weighted fair queuing, WFQ）または優先順位スケジューラーなどを示す。２番パラメーターも、同一領域の全てのＦＡに同一に適用される。
【００５２】
３番乃至１１番パラメーターは、ＦＡ単位ごとに定義される。
【００５３】
パラメーター伝送部１０３は、パラメーター生成部１０２で生成されたＦＡパラメーターを他のＦＡ情報管理部１００またはＦＡ情報交換部２００に伝送する。
【００５４】
次に、図３を参照して、本発明の一実施例によるネットワーク管理方法について詳細に説明する。
【００５５】
図３は、本発明の一実施例によるネットワーク管理方法を順に示したフローチャートである。
【００５６】
図３を参照すれば、ＦＡ情報収集部３００は、インターフェース（ａ）を通してＦＡ情報交換部２１０、２２０にＦＡ情報を要請する（Ｓ３１０、Ｓ３２０）。この時、ＦＡ情報要請（Ｓ３１０、Ｓ３２０）は、ＦＡ情報要請メッセージを通して伝送される。ＦＡ情報要請メッセージは、要請者の識別子を含み、ＭＰＬＳなどのＦＡ単位を区分するための識別子であるＦＡの識別子を含むことができる。
【００５７】
次に、ＦＡ情報交換部２１０、２２０は、インターフェース（ｄ）を利用してＦＡ情報管理部１１０、１２０、１３０、１４０にＦＡ情報を要請する（Ｓ３３０、Ｓ３４０、Ｓ３５０、Ｓ３６０）。この時、ＦＡ情報要請（Ｓ３３０、Ｓ３４０、Ｓ３５０、Ｓ３６０）も、ＦＡ情報要請メッセージを通して伝送される。
【００５８】
次に、ＦＡ情報管理部１１０、１２０、１３０、１４０は、インターフェース（ｄ）を利用してＦＡ情報交換部２１０、２２０にＦＡ情報を応答する（Ｓ３０７、Ｓ３０８、Ｓ３０９、Ｓ３１０）。この時、ＦＡ情報応答（Ｓ３０７、Ｓ３０８、Ｓ３０９、Ｓ３１０）は、ＦＡ情報応答メッセージを通して伝送される。ＦＡ情報応答メッセージは、応答者の識別子及びＦＡパラメーターを含み、ＦＡの識別子を含むことができる。
【００５９】
ＦＡ情報交換部２１０、２２０は、ＦＡ情報収集部３００にインターフェース（ａ）を利用してＦＡ情報を応答する（Ｓ３１１、Ｓ３１２）。この時、ＦＡ情報応答（Ｓ３１１、Ｓ３１２）も、ＦＡ情報応答メッセージを通して伝送される。
【００６０】
これによって、ＦＡ情報交換部２１０、２２０は、ＦＡ情報管理部１１０、１２０、１３０、１４０からＦＡパラメーターを受信することができ、ＦＡ情報交換部２１０、２２０は、インターフェース（ｂ、ｃ）を通してＦＡ情報要請メッセージ及びＦＡ情報応答メッセージを利用してＦＡパラメーターを他のＦＡ情報交換部２３０、２４０と交換する。
【００６１】
このように、図３のような動作は、主に上位客体が下位客体または同位客体に情報を要請し、それによって下位客体または同位客体が上位客体に情報を応答する形式からなっており、これは周期的または外部の要請がある場合に行われる。
【００６２】
次に、図４を参照して、本発明の他の実施例によるネットワーク管理方法について詳細に説明する。
【００６３】
図４は、本発明の他の実施例によるネットワーク管理方法を示すフローチャートである。
【００６４】
図４を参照すれば、まず、ＦＡ情報管理部１１０は、インターフェース（ｄ）を通してＦＡ情報交換部２１０にＦＡ情報報告を行い（Ｓ４１０）、ＦＡ情報管理部１２０は、ＦＡ情報交換部２１０にＦＡ情報報告を行う（Ｓ４２０）。この時、ＦＡ情報報告（Ｓ４１０、Ｓ４２０）は、ＦＡ情報報告メッセージを通して伝送される。ＦＡ情報報告メッセージは、報告者の識別子及びＦＡパラメーターを含み、ＦＡの識別子を含むことができる。
【００６５】
その後、ＦＡ情報交換部２１０は、ＦＡ情報交換部２１０から受信したＦＡパラメーターを分析して、必要な場合には、インターフェース（ａ）を通してＦＡ情報収集部３００にＦＡ情報報告を行う（Ｓ４３０）。この時のＦＡ情報報告（Ｓ４３０）も、ＦＡ情報報告メッセージを通して伝送される。
【００６６】
一方、ＦＡ情報交換部２１０は、インターフェース（ｂ、ｃ）を通してＦＡ情報報告メッセージを利用してＦＡパラメーターを他のＦＡ情報交換部２２０、２３０、２４０と交換する。
【００６７】
このように、図４の動作は、下位客体が上位客体または同位客体に情報を報告する形式からなっており、これは周期的またはＦＡパラメーターが変わる場合に行われる。
【００６８】
一方、図３の方式及び図４の方式は同時に行われることができる。例えば、周期的にＦＡパラメーターを図３の方式で伝送すると同時に、ＦＡパラメーターが変わる場合に、図４の方式で伝送される。また、ＦＡ情報管理部１００とＦＡ情報交換部２００との間では、図４の方式でＦＡパラメーターが伝送され、ＦＡ情報交換部２００とＦＡ情報収集部３００との間では、周期的に図３の方式でＦＡパラメーターが伝送されることもできる。
【００６９】
以上で説明した本発明の実施例は、装置及び方法によってのみ実現されるわけではなく、本発明の実施例の構成に対応する機能を実現するプログラムまたはそのプログラムが記録された記録媒体を通じて具現されることもできる。
【００７０】
以上で、本発明の実施例について詳細に説明したが、本発明の権利の範囲はこれに限定されるものではなく、特許請求の範囲で定義している本発明の基本概念を利用した当業者の様々な変形及び改良形態も本発明の権利範囲に属する。
【符号の説明】
【００７１】
１０、２０、３０  ＦＡ領域
１００、１１０、１２０、１３０、１４０、１５０  ＦＡ情報管理部
１０１  パラメーター情報受信部
１０２  パラメーター生成部
１０３  パラメーター伝送部
２００、２１０、２２０、２３０、２４０  ＦＡ情報交換部
３００  ＦＡ情報収集部
４００  ネットワーク管理部
【図１】
2011030178.tif 000004
【図２】
2011030178.tif 000005
【図３】
2011030178.tif 000006
【図４】
2011030178.tif 000007